(57)【特許請求の範囲】
【請求項１】
円筒形状であって上面及び底面を開口とし、側面に複数の貫挿穴を有する収納筒と、
該貫挿穴に差し込まれる剣と、
収納筒に収納される風船とを備え、
前記貫挿穴は、二個を一組とし、一組とする二個の貫挿穴間を結ぶ直線が前記収納筒の中心軸と交わる或いは中心軸の近傍を通過するように配置され、
前記収納筒は、この一組とした二個の貫挿穴間を繋ぐ内壁に摺動溝を備えていることを特徴とする手品具。
【請求項２】
前記摺動溝は、貫挿穴の近傍にテーパ部を備えることを特徴とする請求項１に記載の手品具。
【発明の詳細な説明】
【技術分野】
【０００１】
本発明は、風船を利用した手品具に関する。
【背景技術】
【０００２】
観客を楽しませる手品には、トランプ手品のようにテーブル上で実演する小規模なものだけでなく、人が箱の中に入り、その箱に剣を差し込むといったような大がかりなものもある。
【０００３】
当然このような大がかりな手品を一般の人が行なうことはできないが、人の代わりに紙幣やＣＤ等をケースに収納して剣や筆記具をケースに差し込み、中に収納したものを貫通したように見せ、剣や筆記具を引き抜いた後に収納したものを取り出すと、収納したものには傷一つ無いといった手軽な手品を実演可能な手品具は多く市販されており、このような手品具に関する提案も多くなされている。
【０００４】
例えば、実登３１１７８７７号公報（特許文献１）では、既製のＣＤをケース体に収納し、ケース体に形成されている穴に鉛筆等の筆記具を突き刺してまるでＣＤを貫通したように見せ、その後筆記具を抜いてＣＤを取り出すと収納した既製のＣＤには傷一つ無いという手品を実演できる手品具の提案がなされている。
【０００５】
この手品具は、既製ＣＤを四等分にした扇形の四枚のダミー板と、隠部と窓部及び挿通孔を有してダミー板を収容するケース体を備え、ダミー板の一枚には筆記具を挿通させる挿通孔が形成され、これらのダミー板がケース体内に上下動可能に収容されている。そして、既製のＣＤをケース体に収容しながらダミー板を陰部から窓部に移動させ、既製のＣＤは中央の孔が一枚のダミー板に形成した挿通孔及びケース体の挿通孔と重なるように配置し、挿通孔に筆記具を挿通させることで、既製のＣＤを筆記具が貫通したように見せる手品を実演するものである。
【特許文献１】実登３１１７８７７号公報
【発明の開示】
【発明が解決しようとする課題】
【０００６】
上述したような従来の手品具は、テーブル等の台上に載置して数人程度の観客相手に手品を実演するものであり、熟練者でなくとも容易に手品を実演して観客に不思議さや楽しさを与えることはできるが、小型であるため大勢の前で見せることは困難であった。
【０００７】
本発明は、複雑な構造の手品具とすることなく、風船という、ある程度遠くからでも認識できる素材を使うことにより、それに剣を刺しても割れないという、大勢の前でも見せられる手品具を提供することを目的としている。
【課題を解決するための手段】
【０００８】
本発明の手品具は、円筒形状であって上面及び底面を開口とし、側面に複数の貫挿穴を有する収納筒と、該貫挿穴に差し込まれる剣と、収納筒に収納される風船とを備え、前記貫挿穴は、二個を一組とし、一組とする二個の貫挿穴間を結ぶ直線が前記収納筒の中心軸と交わる或いは中心軸の近傍を通過するように配置され、前記収納筒は、前記一組とした二個の貫挿穴間を繋ぐ内壁に摺動溝を備えているものである。
【０００９】
更に、前記摺動溝は、貫挿穴の近傍にテーパ部を備えるものである。
【発明の効果】
【００１０】
本発明によれば、円筒形状であって上面及び底面を開口とし、側面に複数の貫挿穴を有する収納筒と、剣と、風船とから手品具を形成することにより、膨らませた風船を剣が貫通しても風船が割れることがないといった手品を実演可能な手品具を提供できる。
【００１１】
又、一組とした二個の貫挿穴間を繋ぐ収納筒の内壁に摺動溝を備えることにより、一組の貫挿穴間で剣の先端を誘導できるようになっており、観客には風船に剣を刺したと見せ、実際には剣は風船の脇を通り、風船を押し縮ませながら対向穴にたどりつき、収納筒の外に先端を露出させ、貫通したように見せられるものである。
【００１２】
更に、摺動溝の貫挿穴近傍にテーパ部を備えることによって、剣を斜めから収納筒に押し込むことが可能となっており、剣を風船と収納筒の内壁との間に挿入したのち、容易に剣の先端が摺動溝にたどりつくことが可能となっている。これにより挿入開始時点で、風船に対して鋭角に剣を刺さなくてもすむため、誤って風船が割れることを防ぐことができる。
【発明を実施するための最良の形態】
【００１３】
本発明を実施するための最良の形態の手品具1は、円筒形状であって上面及び底面を開口とし、側面には複数の貫挿穴2aを有する収納筒2と、該貫挿穴2aに差し込まれる剣3と、収納筒2に収納される風船4とを備え、貫挿穴2aは、二個を一組とし、一組とする二個の貫挿穴2aを結ぶ直線が収納筒2の中心軸と交わるように配置されたものである。
【００１４】
そして、この手品具1は、収納筒2に膨らませた風船4を挿入し、一組の貫挿穴2aの所定の一つの穴から剣3を収納筒2に挿入し、対向穴から剣3を露出させることによって、剣3が風船4を貫通しているように見えるが風船4は割れないといった手品を実演するものである。
【００１５】
又、収納筒2は、一組とした二個の貫挿穴2aの間を繋ぐ内壁に摺動溝2bを備え、該摺動溝2bは、貫挿穴2aの近傍にテーパ部2cを備えるものである。更に、収納筒2は、二個一組とする貫挿穴2aを二組備え、所定の一組の貫挿穴2a間を結ぶ直線と他の一組の貫挿穴2a間を結ぶ直線とが直交するように形成されているものである。
【００１６】
そして、剣3を二本備え、この剣3は、円柱棒状にして先端を細くするように円錐形状とすると共に、先端が穿部とならないように丸味を帯びて形成され、更に、表面に粗目部3aを備えるものである。又、風船4は、透光性を備えた細長で丈夫な風船であり、風船4を膨らませるための空気入れ5を備えるものである。
【実施例】
【００１７】
以下、本発明の実施例を図に基づいて詳説する。図１に示すように、本実施例の手品具1は、収納筒2と、剣3と、風船4と、空気入れ5とを備え、収納筒2に膨らました風船4を収納し、剣3を風船4が収納された収納筒2に差し込むと、剣3は収納筒2を貫通しているにも関わらず、収納筒2に収納された風船4は割れないといった手品を実演するものである。
【００１８】
収納筒2は、樹脂で形成された円筒形状の筒であり、上面及び底面は開口とされ、側面には複数の貫挿穴2aを備えるものである。この貫挿穴2aは、対向する二個を一組とし、この一組とする二つの貫挿穴2a間を結ぶ直線が収納筒2の中心軸と交わるように形成されている。又、図２に示すように、収納筒2は、一組とした貫挿穴2aの間を繋ぐ内壁に摺動溝2bを備え、貫挿穴2aと摺動溝2bとが交差する位置には貫挿穴2aの近傍ほど収納筒2の厚みが薄肉となるように形成されたテーパ部2cを備えるものである。
【００１９】
この摺動溝2bは、所定の一つの貫挿穴2aに剣3を差し込み、剣3を差し込んだ貫挿穴2aと組を成す他の貫挿穴2aから剣3の先端が露出するまでの間、剣3の先端を誘導するための溝であり、貫挿穴2a近傍にテーパ部2cを備えているのは、風船4と収納筒2の内壁との間に間隙を設け、剣3を挿入し易くするためである。
【００２０】
又、剣3は、図１に示したように、樹脂で形成された剣の模型であり、先細の略円柱形状で後端近傍につば部を備え、つば部よりも後方を握り部分とし、つば部よりも先端側の刀身部分は、円柱形状の基部側と円錐形状の先端側とを有し、刀身部分の全体の約二分の一乃至三分の一の範囲を円錐形として先端を順次細くして先端を鋭く見せ、且つ、先端は丸味を持たせて先端及び表面が穿部とならないように全体に丸味を帯びさせて形成されている。
【００２１】
更に、剣3は、表面の所定の一部に粗目状に形成された粗目部3aを備えているものである。このように、剣3が粗目部3aを備えているのは、収納筒2と風船4の間に剣3を挿入した場合に風船4の表面が剣3の表面に表面張力によって吸着し、剣3を押し込むと風船4の表面が引っ張られて風船4が割れることを防止するためである。尚、本実施例においては、収納筒2に二個一組とする貫挿穴2aを二組形成しているため、剣3を二本備えている。
【００２２】
風船4は、中が透けて見える透光性の風船であって、細長で丈夫な風船模型を作るときに用いる風船を使用している。又、空気入れ5は、手で膨張部を把持して収縮させ、膨張部の内部の空気をノズルから風船4内に送り込むものである。この空気入れ5により丈夫な風船を用いる手品において携帯容易にして手軽に風船4を膨らませる空気入れ5を用いることにより、素早く且つ容易に手品を実演する準備を行なうことができることになる。
【００２３】
そして、本実施例の手品具1は、膨らませた風船4を収納筒2の中に収納し、貫挿穴2aから剣3を風船4と収納筒2の裏面との間の図２に示したテーパ部2cに差し込み、そのまま剣3の先端を図２に示した摺動溝2bに沿って一組とした他の貫挿穴2aつまり対向穴の方向に摺動させ、風船4を押しのけるように対向する貫挿穴2aから先端を露出させるものである。この時、剣3は、図３に示すように、風船4の一部を押し退けるようにして風船4の表面の一部を内側に変形させ、風船4の表面に回避部4aを形成した状態として、収納筒2の対向位置に配置するように一組とした二個の貫挿穴2aを貫通するものである。
【００２４】
次に、本実施例の手品具1の実際の実演方法について述べる。まず、図４に示すように、空気入れ5の先端のノズルに風船4の注入口を取付けて風船4を膨らませる。そして、十分に膨らませた後に風船4の注入口を塞ぎ、観客に向かって膨らませた風船4と収納筒2を見せ、種も仕掛けもないことを確認してもらった後、図５に示すように、風船4を収納筒2の中に収納する。
【００２５】
そして、風船4が挿入された収納筒2と剣3を把持し、図６に示すように、貫挿穴2aの近傍の図２に示したテーパ部2cと風船4との間に剣3の先端を挿入し、剣3の先端を図２に示した摺動溝2bに沿わせながらゆっくり押し込んでいく。この時、剣3の表面に風船のゴムが吸着する場合があるので、剣3を少し回転させて風船4が剣3の表面に吸着することを防止しながら押し込んでいく。
【００２６】
このとき収納筒2を垂直に立て、対向する貫通穴2a同士が観客に対し平行の状態に保持することにより、剣3が手前に向かって斜めに差し込まれていることは、観客から気づかれることはなく、剣3の先端が対向穴から露出することによって、剣3はあたかも風船4の胴体中央を通ったかのように見える。又、対向する貫通穴2a同士が観客に対し平行の状態に保持することより、貫挿穴2aに差し込んだ剣3が徐々に風船に食い込んでいくように見え、対向穴から剣3の先端が露出したこともよく見えるため、観客に緊張感を与えることもできる。
【００２７】
更に、剣3の先端が対向穴から露出した後、図７に示すように、剣3を更に奥までゆっくり押し込み、一本の剣3が貫通した状態の収納筒2を観客に見せる。そして、もう一本の剣3を一本目と同様の要領で貫挿穴2aに差し込んでいき、図８に示すように、完全に二本目の剣3を貫通させ、図９に示すように、収納筒2の開口部分を観客に覗かせる。
【００２８】
実際には剣3は風船4を避けているが、収納筒2の開口部分から中を覗き込んだ観客には二本の剣3が風船を貫通しているように見える。そして、差し込んだ剣3をゆっくりと引き抜き、収納筒2から風船4を引き抜いて風船4に傷一つ無いことを観客に確認してもらう。最後に風船4を割って見せると観客は本当に風船4に仕掛けがないことが分り、より不思議がらせることができる。
【００２９】
本実施例によれば、円筒形状であって上面及び底面を開口とし、側面に複数の貫挿穴2aを有する収納筒2と、剣3と、風船4とから手品具1を形成することにより、膨らませた風船4を剣3が貫通しても風船4が割れることがないといった手品を実演可能な手品具1を提供できる。
【００３０】
又、一組とした貫挿穴2aの間を繋ぐ収納筒2の内壁に摺動溝2bを備えることにより、一組とする二個の貫挿穴2a間の内壁で剣3の先端を誘導し、剣3を風船4の脇を通らせ、風船4を押し縮ませながら対向穴にたどりつかせ、収納筒2の外壁から先端を露出させて、貫通したように見せられる手品具1を提供できる。
【００３１】
更に、摺動溝2bの貫挿穴2aの近傍にテーパ部2cを備えることによって、剣3を斜めから収納筒2に押し込むことが可能となっており、剣3を風船4と収納筒2の内壁との間に挿入したのち、容易に剣3の先端が摺動溝2bにたどりつくことが可能となっている。又、挿入開始時点で、風船4に対して鋭角に剣3を刺さなくてもすむため、誤って風船4が割れることのない手品具1を提供できる。
【００３２】
そして、剣3の表面及び先端が穿部とならないように剣3を丸味を帯びて形成することにより、風船4が誤って割れることを防ぐことができる。又、剣3の表面に粗目部3aを備えることで、風船4が剣3の表面に吸着することを防止できるため、剣3を風船4と収納筒2の裏面との間に挿入して押し込む場合に、剣3の表面に吸着した風船4の表面を引っ張って風船4を割ってしまうといった手品の失敗を防止できる。
【００３３】
又、収納筒2に所定の一組の貫挿穴2aを結ぶ直線と他の一組の貫挿穴2aを結ぶ直線とが直交するように二組の貫挿穴2aを形成し、剣3を二本備えることにより、一本の剣3を貫通させるよりも観客を驚かすことができる手品具1を提供できる。
【００３４】
尚、本実施例の手品具1では、剣3の二本を収納筒2に対して直交するように、且つ、二本の剣3も互いに直交するように収納筒2を貫通させているも、一組とする二個の貫挿穴2aは、二組の貫挿穴2aを結ぶ線が収納筒2の中心軸と交わるように収納筒2の両側に対向させて設けられれば足りるものであり、二個の貫挿穴2aを結ぶ線を収納筒2の中心軸と斜めに交差させ、剣3を収納筒2に対して斜めに貫通させる場合もある。
【００３５】
又、本実施例の手品具1では、二個一組とする二個の貫挿穴2a間を結ぶ直線が収納筒2の中心軸と交わるように形成しているが、二個の貫挿穴2a間を結ぶ直線が中心軸の近傍を通過すれば良く、必ずしも中心軸と交わる必要があるわけではない。
【００３６】
更に、収納筒2に形成する貫挿穴2aの数は自由に変更可能であり、二個一組の貫挿穴2aの組数と同数の剣3を備えることで、更に、手品の趣向を高めることができる。
【図面の簡単な説明】
【００３７】
【図１】本発明の実施例に係る手品具の斜視図。
【図２】本発明の実施例に係る手品具の収納筒を一部破断した斜視図。
【図３】本発明の実施例に係る手品具において剣が収納筒を貫通している場合を説明する一部破断斜視図。
【図４】本発明の実施例に係る手品具において風船に空気入れで空気を注入している状態を示す斜視図。
【図５】本発明の実施例に係る手品具において収納筒に風船を挿入している状態を示す斜視図。
【図６】本発明の実施例に係る手品具において収納筒に剣を差し込む状態を示す斜視図。
【図７】本発明の実施例に係る手品具において収納筒に一本の剣を貫通させた状態を示す斜視図。
【図８】本発明の実施例に係る手品具において収納筒に二本の剣を貫通させた状態を示す斜視図。
【図９】本発明の実施例に係る手品具において収納筒に二本の剣を貫通させた場合に収納筒の開口部から収納筒の内部を覗いた状態を示す斜視図。
【符号の説明】
【００３８】
1  手品具
2  収納筒
2a  貫挿穴
2b  摺動溝
2c  テーパ部
3  剣
3a  粗目部
4  風船
4a  回避部
5  空気入れ
【図１】
0004789894.tif 000002
【図２】
0004789894.tif 000003
【図３】
0004789894.tif 000004
【図４】
0004789894.tif 000005
【図５】
0004789894.tif 000006
【図６】
0004789894.tif 000007
【図７】
0004789894.tif 000008
【図８】
0004789894.tif 000009
【図９】
0004789894.tif 000010